【手続補正書】
【提出日】平成21年11月10日(2009.11.10)
【手続補正１】
【補正対象書類名】特許請求の範囲
【補正対象項目名】全文
【補正方法】変更
【補正の内容】
【特許請求の範囲】
【請求項１】
分析対象を計測するためのシステムであって、該システムが下記成分：
宿主の循環系と連絡するように構成されている血管アクセス装置；及び、
血管アクセス装置内に所在するように構成されている分析対象センサーであって、ここで該分析対象センサーは該循環系内の分析対象の濃度を計測するように構成されている、分析対象センサー；を含む、システム。
【請求項２】
流量制御装置を更に含む、請求項１記載のシステム。
【請求項３】
前記流量制御装置がポンプ及び弁の少なくとも１つを含む、請求項２記載のシステム。
【請求項４】
前記流量制御装置が、前記循環系から試料を引き戻すように構成されている、請求項２記載のシステム。
【請求項５】
前記試料が約５００マイクロリットル以下の容量を有する、請求項４記載のシステム。
【請求項６】
前記試料が約５０マイクロリットル以下の容量を有する、請求項５記載のシステム。
【請求項７】
前記流量制御装置が、約０．００１ｍｌ／分〜約２．０ｍｌ／分の速度で前記試料を引き戻すように構成されている、請求項４記載のシステム。
【請求項８】
前記速度が約０．０１ｍｌ／分〜約１．０ｍｌ／分である、請求項７記載のシステム。
【請求項９】
前記流量制御装置が、前記血管アクセス装置よりも実質的に遠方へは試料を引き戻さないように構成されている、請求項４記載のシステム。
【請求項１０】
前記流量制御装置が、宿主の皮膚により定義される平面よりも実質的に遠方へは試料を引き戻さないように構成されている、請求項９記載のシステム。
【請求項１１】
前記流量制御装置が前記血管アクセス装置を経由し、そして前記循環系内に流体を輸液するように構成されている、請求項２記載のシステム。
【請求項１２】
前記流量制御装置が、前記流体の温度が宿主の温度と実質的に平衡する速度で該流体を輸液するように構成されている、請求項１１記載のシステム。
【請求項１３】
前記流体が前記分析対象の既知濃度を有し、そしてセンサーが該分析対象の既知濃度に関連するシグナルを計測するように構成された電子機器を含む、請求項１２記載のシステム。
【請求項１４】
前記分析対象センサーのインビボ部分が約０．０２０インチ未満の幅を有する、請求項１記載のシステム。
【請求項１５】
前記分析対象センサーのインビボ部分が約０．０１０インチ未満の幅を有する、請求項１４記載のシステム。
【請求項１６】
前記血管アクセス装置が単一の管腔を含む、請求項１記載のシステム。
【請求項１７】
前記血管アクセス装置が１８ゲージ以下のカテーテルを含む、請求項１記載のシステム。
【請求項１８】
前記血管アクセス装置が２２ゲージ以下のカテーテルを含む、請求項１７記載のシステム。
【請求項１９】
前記血管アクセス装置が側壁及び側壁内に配置された少なくとも１つのオリフィスを含み、ここで該オリフィスは、血液が該オリフィスを通過できるように構成されている、請求項１記載のシステム。
【請求項２０】
前記センサーの少なくとも一部分に血液が接触できるように前記オリフィスが構成されている、請求項１９記載のシステム。
【請求項２１】
前記センサーが先端を有し、ここで該センサーの先端が前記血管アクセス装置内部に配置されている、請求項１記載のシステム。
【請求項２２】
前記センサーの先端が、前記血管アクセス装置の先端から約２ｃｍ以下に配置されている、請求項２１記載のシステム。
【請求項２３】
前記センサーの少なくとも一部分が、前記血管アクセス装置の外部に伸長するように構成されている、請求項１記載のシステム。
【請求項２４】
前記センサーの少なくとも一部分が、前記血管アクセス装置の外部に間欠的に突出するように構成されている、請求項１記載のシステム。
【請求項２５】
前記分析対象センサーが生物不活性物質又は生物活性物質を、該分析対象センサー内に、又は該分析対象センサー上に更に含む、請求項１記載のシステム。
【請求項２６】
前記生物活性剤がビタミンＫ拮抗剤、ヘパリン群の抗凝固剤、血小板凝集阻害剤、酵素、直接トロンビン阻害剤、ダビガトラン、デフィブロチド、デルマタンスルフェート、フォンダパリヌクス及びリバロキサバンよりなる群から選択される物質少なくとも１つを含む、請求項２５記載のシステム。
【請求項２７】
分析対象を計測するためのシステムであって、該システムが下記成分：
宿主の循環系と連絡するように構成されている血管アクセス装置；
血管アクセス装置内に所在するように構成されている分析対象センサー、ここで該分析対象センサーは該循環系内の分析対象の濃度を計測するように構成されている、分析対象センサー；及び、
流量制御装置、
を含む、上記システム。
【請求項２８】
前記流量制御装置が弁を含む、請求項２７記載のシステム。
【請求項２９】
前記弁が第１の分別位置及び第２の分別位置を含む、請求項２８記載のシステム。
【請求項３０】
約０．５秒〜約１０．０秒の期間に渡って前記第１の位置と前記第２の位置との間を移動するように前記弁が構成されている、請求項２９記載のシステム。
【請求項３１】
前記弁に流体接続された配管を更に含み、ここで所定の流速において該配管を通過する流量を計量するように前記弁が構成されている、請求項２９記載のシステム。
【請求項３２】
前記所定の流速が約０．００１ｍｌ／分〜約２．０ｍｌ／分である、請求項３１記載のシステム。
【請求項３３】
前記所定の流速が約０．０２ｍｌ／分〜約０．３５ｍｌ／分である、請求項３２記載のシステム。
【請求項３４】
前記弁に接続された配管を更に含み、ここで前記第１の位置と前記第２の位置の間の弁の移動の間、流体約５００マイクロリットル以下が該配管を通過するように該弁が構成されている、請求項２９記載のシステム。
【請求項３５】
前記第１の位置から該第２の位置への弁の移動の間、該配管を通して流体を推進させるように前記システムが構成されている、請求項３４記載のシステム。
【請求項３６】
前記第２の位置から該第１の位置への弁の移動の間、該配管内に試料を引き戻すよう前記システムが構成されている、請求項３５記載のシステム。
【請求項３７】
前記第１の位置と該第２の位置の間の弁の移動の間、流体約５０マイクロリットル以下が前記配管を通過するように該弁が構成されている、請求項３４記載のシステム。
【請求項３８】
流体を含有するバッグを更に含む、請求項２７記載のシステム。
【請求項３９】
前記流体の流量を調節するように構成された流量調節器を更に含む、請求項３８記載のシステム。
【請求項４０】
局所分析器を更に含む、請求項２７記載のシステム。
【請求項４１】
前記局所分析器がポテンシオスタットを含む、請求項４０記載のシステム。
【請求項４２】
前記局所分析器がデータ処理モジュールを含む、請求項４０記載のシステム。
【請求項４３】
前記局所分析器がデータ格納モジュールを含む、請求項４０記載のシステム。
【請求項４４】
遠隔分析器を更に含む、請求項２７記載のシステム。
【請求項４５】
前記遠隔分析器がタッチスクリーンを含む、請求項４４記載のシステム。
【請求項４６】
前記遠隔分析器が前記流量制御装置を制御するように構成された、請求項４４記載のシステム。
【請求項４７】
前記遠隔分析器が局所分析器に取り外し可能かつ作動可能に接続されている、請求項４４記載のシステム。
【請求項４８】
前記遠隔分析器がデータ処理モジュールを含む、請求項４４記載のシステム。
【請求項４９】
前記遠隔分析器がデータ格納モジュールを含む、請求項４４記載のシステム。
【請求項５０】
前記流量制御装置が、該流量制御装置を制御するように構成されたプロセッサを含み、ここで該プロセッサは前記遠隔分析器に作動可能に接続されている、請求項４４記載のシステム。
【請求項５１】
前記流量制御装置がポンプを含む、請求項２７記載のシステム。
【請求項５２】
宿主の生物学的試料中の分析対象濃度をモニタリングするためのシステムであって、該システムが下記成分：
実質的に連続した分析対象センサーであって、該センサーの生物学的試料への曝露の間に、宿主中の分析対象濃度を示すデータシグナルを発生させるように構成されている、センサー；
既知分析対象濃度を有するレファレンス溶液であって、ここで該システムは該レファレンス溶液に該センサーを曝露するように構成され、そしてここで該システムは該レファレンス溶液への該センサーの曝露の間に該レファレンス溶液中の分析対象濃度を示すデータシグナルを発生させるように構成されている、レファレンス溶液；及び、
キャリブレーション情報を測定し、該キャリブレーション情報より生物学的試料に関連したシグナルをキャリブレーションするように構成されているプログラミングを含むコンピューターシステムであって、ここで該キャリブレーション情報は定常状態情報及び一過性情報を含む、コンピューターシステム；
を含む、システム。
【請求項５３】
前記キャリブレーション情報が、前記レファレンス溶液への前記センサーの曝露に関連するシグナル及び前記生物学的試料への該センサーの曝露に関するシグナルから測定される、請求項５２記載のシステム。
【請求項５４】
前記定常状態情報が、感度情報及びベースライン情報の少なくとも１つを含む、請求項５２記載のシステム。
【請求項５５】
前記定常状態情報が、感度情報及びベースライン情報の両方を含む、請求項５４記載のシステム。
【請求項５６】
定常状態情報が、前記レファレンス溶液への前記センサーの曝露の間に発生したシグナルに関連する情報を含む、請求項５２記載のシステム。
【請求項５７】
前記レファレンス溶液が約ゼロの既知分析対象濃度を含み、ここで前記定常状態情報が該レファレンス溶液中の前記センサーに関するベースライン情報を含む、請求項５６記載のシステム。
【請求項５８】
前記レファレンス溶液がゼロより高値の既知分析対象濃度を含み、ここで前記定常状態情報が前記センサーに関する感度情報を含む、請求項５６記載のシステム。
【請求項５９】
前記定常状態キャリブレーション情報が、実質的に連続した分析対象センサー以外の分析対象センサーに由来するレファレンスデータを含む、請求項５２記載のシステム。
【請求項６０】
一過性情報が、分析対象濃度のステップ変化への前記センサーの曝露の間に発生したシグナル変化速度を含む、請求項５２記載のシステム。
【請求項６１】
前記変化速度が、未知分析対象濃度又は非キャリブレーション分析対象濃度の生物学的試料への該センサーの曝露の間に発生したシグナルの速度変化を含む請求項６０記載のシステム。
【請求項６２】
前記変化速度が、生物学的試料への前記センサーの曝露の間に発生したシグナルの速度変化を含み、ここで前記定常状態情報が、前記実質的に連続した分析対象センサー以外の分析対象センサーに由来するレファレンスデータを含む、請求項６０記載のシステム。
【請求項６３】
一過性情報が、分析対象濃度のステップ変化への前記センサーの曝露の間に発生したシグナルのインパルス応答を含む、請求項５２記載のシステム。
【請求項６４】
前記レファレンス溶液に関連するベースライン計測と、生物学的試料に関連するベースライン計測の間のオフセットを測定するために、前記インパルス応答を使用する、請求項６３記載のシステム。
【請求項６５】
分析対象濃度を得ることができる定常状態計測のある時点を測定するために、前記インパルス応答を使用する、請求項６３記載のシステム。
【請求項６６】
前記一過性情報が、未知分析対象濃度又は非キャリブレーション分析対象濃度の生物学的試料に関連する複数の時間間隔シグナルに関する定常状態情報及び一過性情報の比較を含む、請求項５２記載のシステム。
【請求項６７】
前記レファレンス溶液に関連するベースライン計測と生物学的試料に関連するベースライン計測との間のオフセットを測定するために、定常状態情報及び一過性情報の比較を用いる、請求項６６記載のシステム。
【請求項６８】
定常状態情報及び一過性情報の比較に基づいて、ベースライン又は感度のシフトを検出するためのプログラミングを更に含む、請求項６６記載のシステム。
【請求項６９】
定常状態情報及び一過性情報の比較に基づいて、ベースライン及び感度の少なくとも１つのシフトに関して補正するために前記シグナルのキャリブレーションを開始するように構成されたプログラミングを更に含む、請求項６８記載のシステム。
【請求項７０】
定常状態情報及び一過性情報の比較に基づいて、ベースライン及び感度の少なくとも１つのシフトに関して補正するために前記シグナルをキャリブレーションするように構成されたプログラミングを更に含む、請求項６９記載のシステム。
【請求項７１】
シグナルをキャリブレーションするように構成されたプログラミングが、初期キャリブレーション及び更新キャリブレーションの少なくとも１つを実施するように構成されている、請求項５２記載のシステム。
【請求項７２】
前記分析対象センサーがグルコースセンサーである、請求項５２記載のシステム。
【請求項７３】
宿主の生物学的試料中の分析対象濃度をモニタリングするためのシステムであって、該システムが下記成分：
実質的に連続した分析対象センサーであって、該センサーの生物学的試料への曝露の間に宿主中の分析対象濃度を示すデータシグナルを発生させるように構成されている、センサー；
既知分析対象濃度を有するレファレンス溶液であって、ここで該システムは該レファレンス溶液に該センサーを曝露するように構成され、そしてここで該システムは該レファレンス溶液への該センサーの曝露の間に該レファレンス溶液中の分析対象濃度を示すデータシグナルを発生させるように構成されている、レファレンス溶液；及び、
キャリブレーション情報を測定し、該キャリブレーション情報より生物学的試料に関連したシグナルをキャリブレーションするように構成されているプログラミングを含むコンピューターシステムであって、ここで該キャリブレーション情報は該レファレンス溶液への該センサーの曝露に関連するシグナル及び生物学的試料への該センサーの曝露に関連するシグナルから測定され、そしてここで該生物学的試料は未知分析対象濃度又は非キャリブレーション分析対象濃度のものである、コンピューターシステム；
を含む、システム。
【請求項７４】
キャリブレーション情報が定常状態情報及び一過性情報を含む、請求項７３記載のシステム。
【請求項７５】
定常状態情報が、感度情報及びベースライン情報の少なくとも１つを含む、請求項７４記載のシステム。
【請求項７６】
一過性情報が、分析対象濃度の変化への前記センサーの曝露に応答した該センサーのシグナルの変化速度を含む、請求項７４記載のシステム。
【請求項７７】
一過性情報が、分析対象濃度のステップ変化への前記センサーの曝露の間に発生したシグナルの変化速度を含む、請求項７４記載のシステム。
【請求項７８】
前記分析対象センサーがグルコースセンサーである、請求項７３記載のシステム。
【請求項７９】
宿主の生物学的試料中の分析対象濃度をモニタリングするためのシステムであって、該システムが下記成分：
実質的に連続した分析対象センサーであって、該センサーの生物学的試料への曝露の間に宿主中の分析対象濃度を示すデータシグナルを発生させるように構成されている、センサー
既知分析対象濃度を有するレファレンス溶液であって、ここで該システムは該レファレンス溶液に該センサーを曝露するように構成され、そしてここで該システムは該レファレンス溶液への該センサーの曝露の間に該レファレンス溶液中の分析対象濃度を示すデータシグナルを発生させるように構成されている、レファレンス溶液；及び
キャリブレーション情報を測定し、該キャリブレーション情報より生物学的試料に関連したシグナルをキャリブレーションするように構成されているプログラミングを含むコンピューターシステムであって、ここで該キャリブレーション情報は該レファレンス溶液への該センサーの曝露に関連するシグナル及び生物学的試料への該センサーの曝露に関連するシグナルの少なくとも１つから測定され、そしてここで該生物学的試料は未知分析対象濃度又は非キャリブレーション分析対象濃度のものである、コンピューターシステム；
を含む、システム。
【請求項８０】
前記コンピューターシステムが、キャリブレーション情報に応答した前記センサー及び該宿主の少なくとも１つの状態を診断するように構成されたプログラミングを更に含む、請求項７９記載のシステム。
【請求項８１】
キャリブレーション情報がベースライン情報を含み、ここで前記システムがレファレンス溶液に関連するベースラインと生物学的試料に関連するベースラインとの間のオフセットを測定するように構成されているプログラミングを含む、請求項７９記載のシステム。
【請求項８２】
分析対象濃度のステップ変化への前記センサーの曝露の間に、該センサーのシグナルのインパルス応答を処理することにより前記オフセットを測定する、請求項８１記載のシステム。
【請求項８３】
未知分析対象濃度又は非キャリブレーション分析対象濃度の生物学的試料の複数の時間間隔試料に関する定常状態情報及び一過性情報の比較により前記オフセットを測定する、請求項８１記載のシステム。
【請求項８４】
前記コンピューターシステムが、所定量より高値の前記オフセットの変化に応答した妨害物質種を検出するように構成されているプログラミングを更に含む、請求項８１記載のシステム。
【請求項８５】
前記コンピューターシステムが、所定量より高値の前記オフセットの変化に応答した前記宿主の代謝過程の状態を診断するように構成されているプログラミングを更に含む、請求項８１記載のシステム。
【請求項８６】
前記コンピューターシステムが、前記状態の診断に応答した前記宿主の状態に関連するメッセージをディスプレイ又は伝送するように構成されているプログラミングを更に含む、請求項８５記載のシステム。
【請求項８７】
前記コンピューターシステムが、所定量より高値の前記オフセットの変化に応答したエラー及びフェールセーフを診断するように構成されているプログラミングを更に含む、請求項８１記載のシステム。
【請求項８８】
前記コンピューターシステムが、所定量より高値の前記オフセットの変化に応答した前記センサーを再キャリブレーションするように構成されているプログラミングを更に含む、請求項８１記載のシステム。
【請求項８９】
キャリブレーション情報が感度情報を含み、ここで前記システムは所定量より高値の感度の変化に応答したエラーを診断するように構成されているプログラミングを含む、請求項８１記載のシステム。
【請求項９０】
前記コンピューターシステムが、分析対象濃度のステップ変化への前記センサーの曝露の間に発生したシグナルのインパルス応答を計算するように構成されているプログラミングを更に含み、ここでステップ変化に対する時間定数をピークインパルス応答の時間から測定する、請求項８１記載のシステム。
【請求項９１】
前記システムが、インパルス応答の計算を１回より多く反復するように構成され、ここで前記コンピューターシステムは所定閾値より高値のステップ変化の複数に関連する時間定数の変化に応答したセンサー状態又はエラーを診断するように構成されたプログラミングを更に含む、請求項９０記載のシステム。
【請求項９２】
分析対象を計測するためのシステムであって、該システムが下記成分：
宿主の血管系と連絡する血管アクセス装置；及び、
該血管アクセス装置内に伸長するように構成されている分析対象センサーであって、ここで該分析対象センサーは該血管系内の分析対象の濃度を計測するように構成されている、分析対象センサー、
を含む、システム。
【請求項９３】
前記分析対象センサーが前記血管アクセス装置を通って前記宿主の血流中へと伸長するように構成されている、請求項９２記載のシステム。
【請求項９４】
前記血管アクセス装置がカテーテルである、請求項９２記載のシステム。
【請求項９５】
前記血管アクセス装置が、前記宿主の静脈内への挿入のために構成されている、請求項９２記載のシステム。
【請求項９６】
前記血管アクセス装置が、前記宿主の動脈内への挿入のために構成されている、請求項９２記載のシステム。
【請求項９７】
前記血管アクセス装置が、前記宿主の血圧の計測のための圧力トランスデューサーに作動可能に連結されるように構成されている、請求項９２記載のシステム。
【請求項９８】
前記血管アクセス装置が、前記宿主の血液化学を計測するための血液化学分析装置に作動可能に連結されるように構成されている、請求項９２記載のシステム。
【請求項９９】
前記分析対象センサーがグルコースセンサーである、請求項９２記載のシステム。
【請求項１００】
前記カテーテル内への前記分析対象センサーの挿入の間に、該分析対象センサーを保護するように構成されたシースを更に含む、請求項９２記載のシステム。
【請求項１０１】
前記シースが、該シースからの該分析対象センサーの取り外しを可能にするように構成されたスロットを含む、請求項１００記載のシステム。
【請求項１０２】
第１の末端及び第２の末端を有する流体連結器を更に含み、ここで該流体連結器は該第１の末端で前記血管アクセス装置と契合するように構成され、そしてここで前記分析対象センサーの少なくとも一部分は該流体連結器を通して伸長するか、又は該流体連結器内に収容される、請求項９２記載のシステム。
【請求項１０３】
前記流体連結器が該流体連結器上に形成されたセンサー電子機器を含む、請求項１０２記載のシステム。
【請求項１０４】
前記センサー電子機器がポテンシオスタットを含む、請求項１０３記載のシステム。
【請求項１０５】
前記流体連結器が、前記第２の末端で医療装置と契合するように構成されている、請求項１０２記載のシステム。
【請求項１０６】
前記医療装置が血圧モニター、血液化学装置、および透析バイパス機よりなる群から選択される装置の少なくとも１つを含む、請求項１０５記載のシステム。
【請求項１０７】
前記分析対象センサーが、前記血管アクセス装置から前記宿主の血流内へと約０．０１０インチ〜約１インチまで伸長するように構成されている、請求項９２記載のシステム。
【請求項１０８】
前記血管アクセス装置および前記分析対象センサーが、インビボの前記宿主の血流内に内在するように構成されている、請求項９２記載のシステム。
【請求項１０９】
前記分析対象センサーに作動可能に接続したセンサー電子機器を更に含む、請求項９２記載のシステム。
【請求項１１０】
前記分析対象センサーが、第１のシグナルを計測するように構成された少なくとも１つのワーキング電極を含む、請求項１０９記載のシステム。
【請求項１１１】
前記第１のシグナルが実質的に分析対象関連である、請求項１１０記載のシステム。
【請求項１１２】
前記分析対象センサーが、第２のシグナルを計測するように構成された第２のワーキング電極を更に含む、請求項１１０記載のシステム。
【請求項１１３】
前記第２のシグナルが実質的に非分析対象関連である、請求項１１２記載のシステム。
【請求項１１４】
前記センサー電子機器が、分析対象の濃度を測定するために前記第２のシグナル及び前記第１のシグナルを処理するように構成されている、請求項１１３記載のシステム。
【請求項１１５】
レファレンス電極を更に含む、請求項１１０記載のシステム。
【請求項１１６】
前記レファレンス電極が前記ワーキング電極から遠隔の位置に位置する、請求項１１５記載のシステム。
【請求項１１７】
第１の末端及び第２の末端を有する流体連結器を更に含み、ここで該流体連結器は該第１の末端でカテーテルと契合するように構成されており、ここで該分析対象センサーの少なくとも一部分は該流体連結器を通して伸長するか、又は該流体連結器内に収容され、そしてここで前記レファレンス電極は該流体連結器に近接するか又は該流体連結器内に位置している、請求項１１６記載のシステム。
【請求項１１８】
前記宿主の血流内に伸長する分析対象センサーの末端が拡大した領域を含む、請求項９２記載のシステム。
【請求項１１９】
前記分析対象センサーの実質的な部分が、約０．００８インチ未満の直径を有する、請求項９２記載のシステム。
【請求項１２０】
前記分析対象センサーの実質的な部分が、約０．００４インチ未満の直径を有する、請求項９２記載のシステム。
【請求項１２１】
前記分析対象センサーが、生物不活性物質又は生物活性物質を、該分析対象センサー内に、又は該分析対象センサー上に更に含む、請求項９２記載のシステム。
【請求項１２２】
前記生物活性剤がビタミンＫ拮抗剤、ヘパリン群の抗凝固剤、血小板凝集阻害剤、酵素、直接トロンビン阻害剤、ダビガトラン、デフィブロチド、デルマタンスルフェート、フォンダパリヌクス及びリバロキサバンよりなる群から選択される少なくとも１つの物質を含む、請求項１２１記載のシステム。
【請求項１２３】
前記分析対象センサーがワーキング電極及びレファレンス電極を含み、ここで該ワーキング電極及び該レファレンス電極の少なくとも１つがワイアを含む、請求項９２記載のシステム。
【請求項１２４】
前記分析対象センサーがワーキング電極及びレファレンス電極を含み、ここで該ワーキング電極及び該レファレンス電極が両方ともワイアであり、そしてここで該ワイアが同軸である、請求項９２記載のシステム。
【請求項１２５】
前記分析対象センサーがワーキング電極及びレファレンス電極を含み、ここで該ワーキング電極及び該レファレンス電極が両方ともワイアであり、そしてここで該ワイアが並置されている、請求項９２記載のシステム。
【請求項１２６】
前記分析対象センサーがワーキング電極及びレファレンス電極を含み、ここで該ワーキング電極及び該レファレンス電極が両方ともワイアであり、そしてここで該レファレンス電極が該ワーキング電極の周囲にらせん状に巻きつけられている、請求項９２記載のシステム。
【請求項１２７】
前記分析対象センサーがワーキング電極を含み、ここで該ワーキング電極は可撓性である、請求項９２記載のシステム。
【請求項１２８】
前記分析対象センサーが該ワーキング電極を含み、ここで該ワーキング電極は可変剛性を有する、請求項９２記載のシステム。
【請求項１２９】
前記分析対象センサーがらせん形状を有する少なくとも１つのワイアを含み、ここで該らせんワイアの可変堅固性は、該らせんワイアの可変ピッチ及び該らせんワイアの可変断面の少なくとも１つにより与えられる、請求項９２記載のシステム。
【請求項１３０】
宿主中の連続分析対象センサーをキャリブレーションするためのシステムであって、該システムが下記：
宿主内に挿入されるように構成された連続分析対象センサー；
キャリブレーション溶液であって、該システムは、該連続分析対象センサーの少なくとも一部分にキャリブレーション溶液を曝露するように構成されている、キャリブレーション溶液；及び、
キャリブレーションされた少なくとも１つのセンサーデータポイントを含むキャリブレーションされた分析対象センサーデータを提供するために、該連続分析対象センサーをキャリブレーションするための手段；
を含む、システム。
【請求項１３１】
前記連続分析対象センサーが、宿主の血流内に内在するように構成されている、請求項１３０記載のシステム。
【請求項１３２】
前記連続分析対象センサーが、前記宿主におけるグルコース濃度を計測するように構成されている、請求項１３０記載のシステム。
【請求項１３３】
前記キャリブレーション溶液がグルコースの所定量を含む、請求項１３２記載のシステム。
【請求項１３４】
前記キャリブレーションされた分析対象センサーデータをディスプレイするための手段を更に含む、請求項１３０記載のシステム。
【請求項１３５】
さらなるキャリブレーション溶液を更に含み、前記システムは、前記連続分析対象センサーの少なくとも一部分に該さらなるキャリブレーション溶液を曝露するように構成されている、請求項１３０記載のシステム。
【請求項１３６】
キャリブレーションされた少なくとも１つのセンサーデータポイントを含むキャリブレーションされた分析対象センサーデータを提供するために、該連続分析対象センサーをキャリブレーション又は再キャリブレーションするための手段を更に含む、請求項１３５記載のシステム。
【請求項１３７】
前記システムが、前記さらなるキャリブレーション溶液を前記連続分析対象センサーの少なくとも一部分に自動的に曝露するように構成されている、請求項１３５記載のシステム。
【請求項１３８】
前記システムが、前記さらなるキャリブレーション溶液を前記連続分析対象センサーの少なくとも一部分に手動で曝露するように構成されている、請求項１３５記載のシステム。
【請求項１３９】
非分析対象溶液を更に含み、前記システムが、前記センサーをフラッシュするために、前記連続分析対象センサーの少なくとも一部分に該非分析対象溶液を曝露するように構成されている、請求項１３０記載のシステム。
【請求項１４０】
宿主中の連続分析対象センサーをキャリブレーションするためのシステムであって、該システムが下記：
宿主内に挿入されるように構成された連続分析対象センサーシステム；
該宿主から血液試料少なくとも１つを引き出すための手段；及び
キャリブレーションされたセンサーデータポイント少なくとも１つを含むキャリブレーションされた分析対象センサーデータを提供するために、連続分析対象センサーをキャリブレーションするための手段、
を含む、システム。
【請求項１４１】
前記連続分析対象センサーが前記宿主の血流内に内在するように構成されている、請求項１４０記載のシステム。
【請求項１４２】
前記連続分析対象センサーが前記宿主のグルコース濃度を計測するように構成されている、請求項１４０記載のシステム。
【請求項１４３】
前記宿主から血液試料少なくとも１つを引き出すための手段が自動的に実施されるように構成されている、請求項１４０記載のシステム。
【請求項１４４】
連続分析対象センサーは該血管アクセス装置と一体的に組み込まれ、該血管アクセス装置が、前記宿主の血管系と連絡するように挿入されるように構成されている、請求項１４０記載のシステム。
【請求項１４５】
前記血液試料を引き出すための手段が、前記血管アクセス装置を通して血液試料を引き出すように構成されている、請求項１４４記載のシステム。
【請求項１４６】
前記宿主の血管系と連絡するように挿入されるように構成された血管アクセス装置を更に含み、ここで前記センサーは該血管アクセス装置を通して挿入される、請求項１４０記載のシステム。
【請求項１４７】
前記血液試料を引き出すための手段が前記血管アクセス装置を通して血液試料を引き出すように構成されている請求項１４６記載のシステム。
【請求項１４８】
前記キャリブレーションされたセンサーデータをディスプレイするための手段を更に含む、請求項１４０記載のシステム。
【請求項１４９】
前記連続分析対象センサーシステムに連結されるように構成された血液化学装置を更に含む、請求項１４０記載のシステム。
【請求項１５０】
前記血液化学装置が、前記宿主の少なくとも１つの血液試料の分析を実施する、請求項１４９記載のシステム。
【請求項１５１】
前記血液化学装置が、前記血液試料由来のレファレンス分析対象値の計測を実施する、請求項１４９記載のシステム。
【請求項１５２】
連続分析対象センサーシステムであって、該システムが下記成分：
宿主への挿入のために構成された連続分析対象センサー；及び、
該連続分析対象センサーに作動可能に接続されたコンピューターシステムであって、ここで該コンピューターシステムは該連続分析対象センサーから分析対象センサーデータを受信するように構成され、該分析対象センサーデータは少なくとも１つのセンサーデータポイント及びキャリブレーション情報を含み、そしてここで該コンピューターシステムは該キャリブレーション情報由来の該分析対象センサーデータをキャリブレーションするように構成されている、コンピューターシステム；
を含む、システム。
【請求項１５３】
前記分析対象センサーがグルコースセンサーである、請求項１５２記載のシステム。
【請求項１５４】
前記連続分析対象センサーが前記宿主の血管系との連絡のために構成された血管アクセス装置を含み、ここで該連続分析対象センサーは該血管アクセス装置を通して伸長するように構成され、そしてここで該分析対象センサーは該宿主の血管系内の分析対象の濃度を計測するように構成されている、請求項１５２記載のシステム。
【請求項１５５】
前記血管アクセス装置が、前記宿主の血液化学を計測するための血液化学分析装置に作動可能に連結されるように構成されている、請求項１５４記載のシステム。
【請求項１５６】
前記血液化学装置が前記血管アクセス装置を通して血液試料を引き出すように構成されており、ここで前記キャリブレーション情報は該血液試料又はそれに関連する計測を含む、請求項１５５記載のシステム。
【請求項１５７】
前記血液化学装置が前記宿主由来のレファレンス分析対象値を計測するように構成されており、ここで前記キャリブレーション情報は該レファレンス分析対象値を含む、請求項１５６記載のシステム。
【請求項１５８】
前記キャリブレーション情報を自動的に得るように構成された装置を更に含み、ここで前記装置は前記センサーシステムに作動可能に連結されている、請求項１５５記載のシステム。
【請求項１５９】
前記連続分析対象センサーが前記宿主の血管系との連絡のための構成された血管アクセス装置を含み、ここで該血管アクセス装置は該血管アクセス装置の外部表面上に少なくとも部分的に一体的に組み込まれた分析対象センサーを含み、そして該分析対象センサーに作動可能に接続されたセンサー電子機器を更に含み、そしてここで該センサー電子機器は該宿主の血流内の分析対象の濃度を計測するように構成されている、請求項１５２記載のシステム。
【請求項１６０】
前記血管アクセス装置が、前記宿主の血液化学を計測するための血液化学分析装置に作動可能に連結されるように構成されている、請求項１５９記載のシステム。
【請求項１６１】
前記血液化学装置が前記血管アクセス装置を通して血液試料を引き出すように構成されており、ここで前記キャリブレーション情報は該血液試料又はそれに関連する計測を含む、請求項１６０記載のシステム。
【請求項１６２】
前記血液化学装置が前記宿主由来のレファレンス分析対象値を計測するように構成されており、ここで前記キャリブレーション情報が該レファレンス分析対象値を含む、請求項１６０記載のシステム。
【請求項１６３】
前記キャリブレーション情報を自動的に得るように構成された装置を更に含み、ここで該装置は前記センサーシステムに作動可能に連結されている、請求項１５９記載のシステム。
【請求項１６４】
前記分析対象センサーがワーキング電極及びレファレンス電極を含み、ここで該ワーキング電極及び該レファレンス電極の少なくとも１つはワイアを含む、請求項１５２記載のシステム。
【請求項１６５】
前記分析対象センサーがワーキング電極及びレファレンス電極を含み、ここで該ワーキング電極及び該レファレンス電極が両方ともワイアであり、そしてここで該ワイアが同軸である、請求項１５２記載のシステム。
【請求項１６６】
前記分析対象センサーがワーキング電極及びレファレンス電極を含み、ここで該ワーキング電極及び該レファレンス電極が両方ともワイアであり、そしてここで該ワイアが並置されている、請求項１５２記載のシステム。
【請求項１６７】
前記分析対象センサーがワーキング電極及びレファレンス電極を含み、ここで該ワーキング電極及び該レファレンス電極が両方ともワイアであり、そしてここで該レファレンス電極が該ワーキング電極の周囲にらせん状に巻きつけられている、請求項１５２記載のシステム。
【請求項１６８】
前記分析対象センサーがワーキング電極を含み、ここで該ワーキング電極は可撓性である、請求項１５２記載のシステム。
【請求項１６９】
前記分析対象センサーがワーキング電極を含み、ここで該ワーキング電極は可変剛性を有する、請求項１５２記載のシステム。
【請求項１７０】
前記分析対象センサーがらせん形状を有する少なくとも１つのワイアを含み、ここで該らせんワイアの可変剛性は、該らせんワイアの可変ピッチ及び該らせんワイアの可変断面の少なくとも１つにより与えられる、請求項１５２記載のシステム。
【請求項１７１】
宿主中の分析対象の濃度を計測するためのシステムであって、該システムが下記：
血管アクセス装置、分析対象濃度を計測するように構成された分析対象センサー、及び該センサーに作動可能に接続され、そして該分析対象濃度に関連するシグナルを発生するように構成された電子機器を含み、ここで該分析対象センサーが該血管アクセス装置内に所在するように構成されている分析対象計測システムであって、
該血管アクセス装置及びセンサーが循環系と流体連絡するるように位置決めされるように構成されている、分析対象計測システム；
レファレンス溶液に該分析対象センサーを通過させるための手段；
該レファレンス溶液の分析対象濃度に関連するシグナルを計測するための手段；
該循環系から試料を引き戻すための手段；及び、
該試料の分析対象濃度に関連するシグナルを計測するための手段；
を含む、システム。
【請求項１７２】
レファレンス溶液を通過させるための手段が、約０．００１ｍｌ／分〜約２ｍｌ／分の第１の流速で該レファレンス溶液を通過させるように構成されている、請求項１７１記載のシステム。
【請求項１７３】
レファレンス溶液を通過させるための手段が、約０．０２ｍｌ／分〜約０．３５ｍｌ／分の第１の流速で該レファレンス溶液を通過させるように構成されている、請求項１７２記載のシステム。
【請求項１７４】
レファレンス溶液を通過させるための手段が、該レファレンス溶液の温度を該宿主の温度と平衡させるように構成されている、請求項１７２記載のシステム。
【請求項１７５】
試料を引き戻すための手段が、約０．００１ｍｌ／分〜約２ｍｌ／分の第２の流速で該試料を引き戻すように構成されている、請求項１７１記載のシステム。
【請求項１７６】
試料を引き戻すための手段が、約０．０２ｍｌ／分〜約０．３５ｍｌ／分の第２の流速で該試料を引き戻すように構成されている、請求項１７５記載のシステム。
【請求項１７７】
試料を引き戻すための手段が、前記レファレンス溶液及び該試料の混合を実質的にブロックするように構成されている、請求項１７５記載のシステム。
【請求項１７８】
前記第２の流速が前記第１の流速と実質的に等しい、請求項１７５記載のシステム。
【請求項１７９】
前記血管アクセス装置が静脈と流体連絡するように構成されており、前記システムが前記レファレンス溶液に第３の流速で前記センサーを通過させるように更に構成されている、請求項１７１記載のシステム。
【請求項１８０】
前記第３の流速が前記第１の流速より低値である、請求項１７９記載のシステム。
【請求項１８１】
前記第３の流速が約１．０μｌ／分〜約１．０ｍｌ／分である、請求項１８０記載のシステム。
【請求項１８２】
前記第３の流速が約０．０２ｍｌ／分〜約０．２ｍｌ／分である、請求項１８１記載のシステム。
【請求項１８３】
前記分析対象計測システムが流量制御装置を更に含み、ここで該流量制御装置は流量を計量するように構成されている、請求項１７１記載のシステム。
【請求項１８４】
前記流量制御装置が第１の分別位置及び第２の分別位置を含む弁を含む、請求項１８３記載のシステム。
【請求項１８５】
レファレンス溶液を通過させる間に、前記第１の位置から前記第２の位置に移動するように前記弁が構成されている、請求項１８４記載のシステム。
【請求項１８６】
レファレンス溶液を通過させるための手段が、前記第１の位置から前記第２の位置への弁の移動の間に約５００マイクロリットル以下の溶液容量を通過させるように構成されている、請求項１８５記載のシステム。
【請求項１８７】
試料を引き戻す間に、前記第２の位置から前記第１の位置に移動するように前記弁が構成されている、請求項１８４記載のシステム。
【請求項１８８】
試料を引き戻すための手段が、前記第２の位置から前記第１の位置への弁の移動の間に約５００マイクロリットル以下の試料容量を引き戻すように構成されている、請求項１８７記載のシステム。
【請求項１８９】
試料を引き戻すための手段が、前記第２の位置から前記第１の位置への弁の移動の間に約５０マイクロリットル以下の試料容量を引き戻すように構成されている、請求項１８４記載のシステム。
【請求項１９０】
前記血管アクセス装置が静脈と流体連絡するように構成されており、前記システムが所定の速度で該血管アクセス装置を通過する前記レファレンス溶液の流量を計量するように更に構成されている、請求項１８４記載のシステム。
【請求項１９１】
前記流量を計測する装置が、前記第１の位置と前記第２の位置との間を移動する弁のタイミングにより少なくとも部分的に制御される、請求項１９０記載のシステム。
【請求項１９２】
前記循環系から前記試料を引き戻すための手段が、前記血管アクセス装置よりも実質的に遠方とならないように該試料を引き戻すように構成されている、請求項１７１記載のシステム。
【請求項１９３】
前記循環系から前記試料を引き戻すための手段が、前記宿主の皮膚により定義される平面よりも実質的に遠方とならないように前記血管アクセス装置内に該試料を引き戻すように構成されている、請求項１９２記載のシステム。
【請求項１９４】
前記分析対象がグルコースである、請求項１７１記載のシステム。
【請求項１９５】
前記流量制御装置が弁を含む、請求項１８３記載のシステム。
【請求項１９６】
前記流量制御装置がポンプを含む、請求項１８３記載のシステム。
【請求項１９７】
宿主の循環系中の分析対象の濃度を計測するためのシステムであって、該システムが下記：
血管アクセス装置、分析対象センサー、流量制御装置、流体バッグ、ＩＶ配管、及びプロセッサを含む分析対象計測システムであって、ここで該プロセッサは該流量制御装置及び該分析対象センサーに作動可能に接続しており、
該血管アクセス装置及び該分析対象センサーが該宿主の循環系と流体連絡するように挿入されるように構成されている、分析対象計測システム；
第１のレファレンス溶液を該ＩＶ配管に注入するための手段；及び、
該ＩＶ配管に該流体バッグを連結する手段であって、ここで該流体バッグは第２のレファレンス溶液を含む、手段；
を含み、ここで該プロセッサは該システムとのさらなるユーザー相互作用を伴うことなく該分析対象センサーを自動キャリブレーションするように構成されている、システム。
【請求項１９８】
前記第１のレファレンス溶液が第１の既知分析対象濃度を有し、ここで前記第２のレファレンス溶液が第２の既知レファレンス溶液を含む、請求項１９７記載のシステム。
【請求項１９９】
前記システムが、前記第１のレファレンス溶液及び前記第２のレファレンス溶液を用いて、前記分析対象センサーを自動キャリブレーションするように構成されている、請求項１９７記載のシステム。
【請求項２００】
前記システムが、前記ＩＶ配管内への別のレファレンス溶液の注入前の少なくとも約２４時間にわたってキャリブレーションされたセンサーデータを与える、請求項１９７記載のシステム。
【請求項２０１】
分析対象を計測するためのシステムであって、該システムが下記成分：
宿主の血管系との挿入連絡のために構成された血管アクセス装置であって、ここで該血管アクセス装置は少なくとも部分的に該血管アクセス装置に組み込まれた分析対象センサーを含む、血管アクセス装置；及び、
該分析対象センサーに作動可能に接続したセンサー電子機器、ここで該センサー電子機器は血管系内の分析対象の濃度を計測するように構成されている、センサー電子機器；
を含む、システム。
【請求項２０２】
前記センサー電子機器が前記分析対象濃度を実質的に連続的に計測するように構成されている、請求項２０１記載のシステム。
【請求項２０３】
前記分析対象がグルコースである、請求項２０１記載のシステム。
【請求項２０４】
前記血管アクセス装置が、前記宿主の血液化学を計測するための血液化学分析装置に作動可能に連結されるように構成されている、請求項２０１記載のシステム。
【請求項２０５】
前記分析対象センサーが、第１のシグナルを計測するように構成された少なくとも１つのワーキング電極を含む、請求項２０１記載のシステム。
【請求項２０６】
前記第１のシグナルが実質的に分析対象関連である、請求項２０５記載のシステム。
【請求項２０７】
前記分析対象センサーが第２のシグナルを計測するように構成された第２のワーキング電極を更に含む、請求項２０５記載のシステム。
【請求項２０８】
前記第２のシグナルが実質的に非分析対象関連である、請求項２０７記載のシステム。
【請求項２０９】
前記センサー電子機器が、分析対象の濃度を測定するために前記第２のシグナル及び前記第１のシグナルを処理するように構成されている、請求項２０７記載のシステム。
【請求項２１０】
前記分析対象センサーがレファレンス電極を更に含む、請求項２０５記載のシステム。
【請求項２１１】
前記レファレンス電極が該レファレンス電極から遠隔な位置に位置する、請求項２１０記載のシステム。
【請求項２１２】
前記レファレンス電極が前記宿主の血流の外部に位置するように構成されている、請求項２１１記載のシステム。
【請求項２１３】
前記分析対象センサーが逆電極を更に含む、請求項２１０記載のシステム。
【請求項２１４】
前記分析対象センサーが、該分析対象センサー内に前記血管アクセス装置が挿入された場合に、前記宿主のインビボの血流に少なくとも部分的に接触するように構成されている、請求項２０１記載のシステム。
【請求項２１５】
前記分析対象センサーが、前記血管アクセス装置の外部表面上に付着している、請求項２０１記載のシステム。
【請求項２１６】
前記分析対象センサーが、前記血管アクセス装置の外部表面上に電気メッキされている、請求項２１５記載のシステム。
【請求項２１７】
前記分析対象センサーが、前記センサー電子機器の少なくとも一部分に有線接続されている、請求項２０１記載のシステム。
【請求項２１８】
前記分析対象センサーが、前記センサー電子機器の少なくとも一部分に無線接続されている、請求項２０１記載のシステム。
【請求項２１９】
前記血管アクセス装置がカテーテルである、請求項２０１記載のシステム。
【請求項２２０】
前記分析対象センサーが生物不活性物質又は生物活性物質を該分析対象センサー内に組み込んで更に含む、請求項２０１記載のシステム。
【請求項２２１】
前記生物活性剤がビタミンＫ拮抗剤、ヘパリン群の抗凝固剤、血小板凝集阻害剤、酵素、直接トロンビン阻害剤、ダビガトラン、デフィブロチド、デルマタンスルフェート、フォンダパリヌクス及びリバロキサバンよりなる群から選択される少なくとも１つの物質を含む、請求項２２０記載のシステム。
【請求項２２２】
前記分析対象センサーがワーキング電極及びレファレンス電極を含み、ここで該ワーキング電極及び該レファレンス電極の少なくとも１つがワイアを含む、請求項２０１記載のシステム。
【請求項２２３】
宿主の血管系における分析対象を計測するために構成された分析対象センサーを製造するための方法であって、該方法が下記工程：
血管アクセス装置を提供する工程；及び、
該血管アクセス装置中、又は該血管アクセス装置の表面上に分析対象センサーを少なくとも部分的に一体的に組み込む工程；
を含む、方法。
【請求項２２４】
分析対象センサーを少なくとも部分的に一体的に組み込む工程が、前記血管アクセス装置の内部表面上、又は該血管アクセス装置の外部表面上に少なくとも１つのワーキング電極を付着させることを含む、請求項２２３記載の方法。
【請求項２２５】
前記付着工程が、前記血管アクセス装置の外部表面上に前記ワーキング電極を電気メッキすることを更に含む、請求項２２３記載の方法。
【請求項２２６】
分析対象センサーを少なくとも部分的に一体的に組み込む工程が、前記血管アクセス装置の内部表面上、又は該血管アクセス装置の外部表面上に第２のワーキング電極を付着させることを更に含む、請求項２２３記載の方法。
【請求項２２７】
分析対象センサーを少なくとも部分的に一体的に組み込む工程が、前記血管アクセス装置の内部表面上、又は該血管アクセス装置の外部表面上にレファレンス電極を付着させることを更に含む、請求項２２３記載の方法。
【請求項２２８】
分析対象センサーを少なくとも部分的に一体的に組み込む工程が、前記血管アクセス装置の内部表面上、又は該血管アクセス装置の外部表面上に逆電極を付着させることを更に含む、請求項２２３記載の方法。
【請求項２２９】
前記血管アクセス装置の表面が外部表面、内部表面、及び先端表面よりなる群から選択される、請求項２２３記載の方法。
【請求項２３０】
分析対象センサーを少なくとも部分的に一体的に組み込む工程が、前記ワーキング電極から遠隔な位置にレファレンス電極を形成することを更に含む、請求項２２３記載の方法。
【手続補正２】
【補正対象書類名】明細書
【補正対象項目名】０００５
【補正方法】変更
【補正の内容】
【０００５】
本発明は、例えば、以下を提供する：
（項目１）
分析対象を計測するためのシステムであって、該システムが下記成分：
宿主の循環系と連絡するように構成されている血管アクセス装置；及び、
血管アクセス装置内に所在するように構成されている分析対象センサーであって、ここで該分析対象センサーは該循環系内の分析対象の濃度を計測するように構成されている、分析対象センサー；を含む、システム。
（項目２）
流量制御装置を更に含む、項目１記載のシステム。
（項目３）
上記流量制御装置がポンプ及び弁の少なくとも１つを含む、項目２記載のシステム。
（項目４）
上記流量制御装置が、上記循環系から試料を引き戻すように構成されている、項目２記載のシステム。
（項目５）
上記試料が約５００マイクロリットル以下の容量を有する、項目４記載のシステム。
（項目６）
上記試料が約５０マイクロリットル以下の容量を有する、項目５記載のシステム。
（項目７）
上記流量制御装置が、約０．００１ｍｌ／分〜約２．０ｍｌ／分の速度で上記試料を引き戻すように構成されている、項目４記載のシステム。
（項目８）
上記速度が約０．０１ｍｌ／分〜約１．０ｍｌ／分である、項目７記載のシステム。
（項目９）
上記流量制御装置が、上記血管アクセス装置よりも実質的に遠方へは試料を引き戻さないように構成されている、項目４記載のシステム。
（項目１０）
上記流量制御装置が、宿主の皮膚により定義される平面よりも実質的に遠方へは試料を引き戻さないように構成されている、項目９記載のシステム。
（項目１１）
上記流量制御装置が上記血管アクセス装置を経由し、そして上記循環系内に流体を輸液するように構成されている、項目２記載のシステム。
（項目１２）
上記流量制御装置が、上記流体の温度が宿主の温度と実質的に平衡する速度で該流体を輸液するように構成されている、項目１１記載のシステム。
（項目１３）
上記流体が上記分析対象の既知濃度を有し、そしてセンサーが該分析対象の既知濃度に関連するシグナルを計測するように構成された電子機器を含む、項目１２記載のシステム。
（項目１４）
上記分析対象センサーのインビボ部分が約０．０２０インチ未満の幅を有する、項目１記載のシステム。
（項目１５）
上記分析対象センサーのインビボ部分が約０．０１０インチ未満の幅を有する、項目１４記載のシステム。
（項目１６）
上記血管アクセス装置が単一の管腔を含む、項目１記載のシステム。
（項目１７）
上記血管アクセス装置が１８ゲージ以下のカテーテルを含む、項目１記載のシステム。
（項目１８）
上記血管アクセス装置が２２ゲージ以下のカテーテルを含む、項目１７記載のシステム。
（項目１９）
上記血管アクセス装置が側壁及び側壁内に配置された少なくとも１つのオリフィスを含み、ここで該オリフィスは、血液が該オリフィスを通過できるように構成されている、項目１記載のシステム。
（項目２０）
上記センサーの少なくとも一部分に血液が接触できるように上記オリフィスが構成されている、項目１９記載のシステム。
（項目２１）
上記センサーが先端を有し、ここで該センサーの先端が上記血管アクセス装置内部に配置されている、項目１記載のシステム。
（項目２２）
上記センサーの先端が、上記血管アクセス装置の先端から約２ｃｍ以下に配置されている、項目２１記載のシステム。
（項目２３）
上記センサーの少なくとも一部分が、上記血管アクセス装置の外部に伸長するように構成されている、項目１記載のシステム。
（項目２４）
上記センサーの少なくとも一部分が、上記血管アクセス装置の外部に間欠的に突出するように構成されている、項目１記載のシステム。
（項目２５）
上記分析対象センサーが生物不活性物質又は生物活性物質を、該分析対象センサー内に、又は該分析対象センサー上に更に含む、項目１記載のシステム。
（項目２６）
上記生物活性剤がビタミンＫ拮抗剤、ヘパリン群の抗凝固剤、血小板凝集阻害剤、酵素、直接トロンビン阻害剤、ダビガトラン、デフィブロチド、デルマタンスルフェート、フォンダパリヌクス及びリバロキサバンよりなる群から選択される物質少なくとも１つを含む、項目２４記載のシステム。
（項目２７）
分析対象を計測するためのシステムであって、該システムが下記成分：
宿主の循環系と連絡するように構成されている血管アクセス装置；
血管アクセス装置内に所在するように構成されている分析対象センサーであって、ここで該分析対象センサーは該循環系内の分析対象の濃度を計測するように構成されている、分析対象センサー；及び、
流量制御装置、
を含む、上記システム。
（項目２８）
上記流量制御装置が弁を含む、項目２７記載のシステム。
（項目２９）
上記弁が第１の分別位置及び第２の分別位置を含む、項目２８記載のシステム。
（項目３０）
約０．５秒〜約１０．０秒の期間に渡って上記第１の位置と上記第２の位置との間を移動するように上記弁が構成されている、項目２９記載のシステム。
（項目３１）
上記弁に流体接続された配管を更に含み、ここで所定の流速において該配管を通過する流量を計量するように上記弁が構成されている、項目２９記載のシステム。
（項目３２）
上記所定の流速が約０．００１ｍｌ／分〜約２．０ｍｌ／分である、項目３１記載のシステム。
（項目３３）
上記所定の流速が約０．０２ｍｌ／分〜約０．３５ｍｌ／分である、項目３２記載のシステム。
（項目３４）
上記弁に接続された配管を更に含み、ここで上記第１の位置と上記第２の位置の間の弁の移動の間、流体約５００マイクロリットル以下が該配管を通過するように該弁が構成されている、項目２９記載のシステム。
（項目３５）
上記第１の位置から該第２の位置への弁の移動の間、該配管を通して流体を推進させるように該システムが構成されている、項目３４記載のシステム。
（項目３６）
上記第２の位置から該第１の位置への弁の移動の間、該配管内に試料を引き戻すよう上記システムが構成されている、項目３５記載のシステム。
（項目３７）
上記第１の位置と該第２の位置の間の弁の移動の間、流体約５０マイクロリットル以下が上記配管を通過するように該弁が構成されている、項目３４記載のシステム。
（項目３８）
流体を含有するバッグを更に含む、項目２７記載のシステム。
（項目３９）
上記流体の流量を調節するように構成された流量調節器を更に含む、項目３８記載のシステム。
（項目４０）
局所分析器を更に含む、項目２７記載のシステム。
（項目４１）
上記局所分析器がポテンシオスタットを含む、項目４０記載のシステム。
（項目４２）
上記局所分析器がデータ処理モジュールを含む、項目４０記載のシステム。
（項目４３）
上記局所分析器がデータ格納モジュールを含む、項目４０記載のシステム。
（項目４４）
遠隔分析器を更に含む、項目２７記載のシステム。
（項目４５）
上記遠隔分析器がタッチスクリーンを含む、項目４４記載のシステム。
（項目４６）
上記遠隔分析器が上記流量制御装置を制御するように構成された、項目４４記載のシステム。
（項目４７）
上記遠隔分析器が局所分析器に取り外し可能かつ作動可能に接続されている、項目４４記載のシステム。
（項目４８）
上記遠隔分析器がデータ処理モジュールを含む、項目４４記載のシステム。
（項目４９）
上記遠隔分析器がデータ格納モジュールを含む、項目４４記載のシステム。
（項目５０）
上記流量制御装置が、該流量制御装置を制御するように構成されたプロセッサを含み、ここで該プロセッサは該遠隔分析器に作動可能に接続されている、項目４４記載のシステム。
（項目５１）
上記流量制御装置がポンプを含む、項目２７記載のシステム。
（項目５２）
宿主の生物学的試料中の分析対象濃度をモニタリングするためのシステムであって、該システムが下記成分：
実質的に連続した分析対象センサーであって、該センサーの生物学的試料への曝露の間に、宿主中の分析対象濃度を示すデータシグナルを発生させるように構成されている、センサー；
既知分析対象濃度を有するレファレンス溶液であって、ここで該システムは該レファレンス溶液に該センサーを曝露するように構成され、そしてここで該システムは該レファレンス溶液への該センサーの曝露の間に該レファレンス溶液中の分析対象濃度を示すデータシグナルを発生させるように構成されている、レファレンス溶液；及び、
キャリブレーション情報を測定し、該キャリブレーション情報より生物学的試料に関連したシグナルをキャリブレーションするように構成されているプログラミングを含むコンピューターシステムであって、ここで該キャリブレーション情報は定常状態情報及び一過性情報を含む、コンピューターシステム；
を含む、システム。
（項目５３）
上記キャリブレーション情報が、上記レファレンス溶液への上記センサーの曝露に関連するシグナル及び上記生物学的試料への該センサーの曝露に関するシグナルから測定される、項目５２記載のシステム。
（項目５４）
上記定常状態情報が、感度情報及びベースライン情報の少なくとも１つを含む、項目５２記載のシステム。
（項目５５）
上記定常状態情報が、感度情報及びベースライン情報の両方を含む、項目５４記載のシステム。
（項目５６）
定常状態情報が、上記レファレンス溶液への上記センサーの曝露の間に発生したシグナルに関連する情報を含む、項目５２記載のシステム。
（項目５７）
上記レファレンス溶液が約ゼロの既知分析対象濃度を含み、ここで上記定常状態情報が該レファレンス溶液中の上記センサーに関するベースライン情報を含む、項目５６記載のシステム。
（項目５８）
上記レファレンス溶液がゼロより高値の既知分析対象濃度を含み、ここで上記定常状態情報が上記センサーに関する感度情報を含む、項目５６記載のシステム。
（項目５９）
上記定常状態キャリブレーション情報が、実質的に連続した分析対象センサー以外の分析対象センサーに由来するレファレンスデータを含む、項目５２記載のシステム。
（項目６０）
一過性情報が、分析対象濃度のステップ変化への上記センサーの曝露の間に発生したシグナル変化速度を含む、項目５２記載のシステム。
（項目６１）
上記変化速度が、未知分析対象濃度又は非キャリブレーション分析対象濃度の生物学的試料への該センサーの曝露の間に発生したシグナルの速度変化を含む項目６０記載のシステム。
（項目６２）
上記変化速度が、生物学的試料への上記センサーの曝露の間に発生したシグナルの速度変化を含み、ここで上記定常状態情報が、上記実質的に連続した分析対象センサー以外の分析対象センサーに由来するレファレンスデータを含む、項目６０記載のシステム。
（項目６３）
一過性情報が、分析対象濃度のステップ変化への上記センサーの曝露の間に発生したシグナルのインパルス応答を含む、項目５２記載のシステム。
（項目６４）
上記レファレンス溶液に関連するベースライン計測と、生物学的試料に関連するベースライン計測の間のオフセットを測定するために、上記インパルス応答を使用する、項目６３記載のシステム。
（項目６５）
分析対象濃度を得ることができる定常状態計測のある時点を測定するために、上記インパルス応答を使用する、項目６３記載のシステム。
（項目６６）
上記一過性情報が、未知分析対象濃度又は非キャリブレーション分析対象濃度の生物学的試料に関連する複数の時間間隔シグナルに関する定常状態情報及び一過性情報の比較を含む、項目５２記載のシステム。
（項目６７）
上記レファレンス溶液に関連するベースライン計測と生物学的試料に関連するベースライン計測との間のオフセットを測定するために、定常状態情報及び一過性情報の比較を用いる、項目６６記載のシステム。
（項目６８）
定常状態情報及び一過性情報の比較に基づいて、ベースライン又は感度のシフトを検出するためのプログラミングを更に含む、項目６６記載のシステム。
（項目６９）
定常状態情報及び一過性情報の比較に基づいて、ベースライン及び感度の少なくとも１つのシフトに関して補正するために上記シグナルのキャリブレーションを開始するように構成されたプログラミングを更に含む、項目６８記載のシステム。
（項目７０）
定常状態情報及び一過性情報の比較に基づいて、ベースライン及び感度の少なくとも１つのシフトに関して補正するために上記シグナルをキャリブレーションするように構成されたプログラミングを更に含む、項目６９記載のシステム。
（項目７１）
シグナルをキャリブレーションするように構成されたプログラミングが、初期キャリブレーション及び更新キャリブレーションの少なくとも１つを実施するように構成されている、項目５２記載のシステム。
（項目７２）
上記分析対象センサーがグルコースセンサーである、項目５２記載のシステム。
（項目７３）
宿主の生物学的試料中の分析対象濃度をモニタリングするためのシステムであって、該システムが下記成分：
実質的に連続した分析対象センサーであって、該センサーの生物学的試料への曝露の間に宿主中の分析対象濃度を示すデータシグナルを発生させるように構成されている、センサー；
既知分析対象濃度を有するレファレンス溶液であって、ここで該システムは該レファレンス溶液に該センサーを曝露するように構成され、そしてここで該システムは該レファレンス溶液への該センサーの曝露の間に該レファレンス溶液中の分析対象濃度を示すデータシグナルを発生させるように構成されている、レファレンス溶液；及び、
キャリブレーション情報を測定し、該キャリブレーション情報より生物学的試料に関連したシグナルをキャリブレーションするように構成されているプログラミングを含むコンピューターシステムであって、ここで該キャリブレーション情報は該レファレンス溶液への該センサーの曝露に関連するシグナル及び生物学的試料への該センサーの曝露に関連するシグナルから測定され、そしてここで該生物学的試料は未知分析対象濃度又は非キャリブレーション分析対象濃度のものである、コンピューターシステム；
を含む、システム。
（項目７４）
キャリブレーション情報が定常状態情報及び一過性情報を含む、項目７３記載のシステム。
（項目７５）
定常状態情報が、感度情報及びベースライン情報の少なくとも１つを含む、項目７３記載のシステム。
（項目７６）
一過性情報が、分析対象濃度の変化への上記センサーの曝露に応答した該センサーのシグナルの変化速度を含む、項目７３記載のシステム。
（項目７７）
一過性情報が、分析対象濃度のステップ変化への上記センサーの曝露の間に発生したシグナルの変化速度を含む、項目７３記載のシステム。
（項目７８）
上記分析対象センサーがグルコースセンサーである、項目７３記載のシステム。
（項目７９）
宿主の生物学的試料中の分析対象濃度をモニタリングするためのシステムであって、該システムが下記成分：
実質的に連続した分析対象センサーであって、該センサーの生物学的試料への曝露の間に宿主中の分析対象濃度を示すデータシグナルを発生させるように構成されている、センサー
既知分析対象濃度を有するレファレンス溶液であって、ここで該システムは該レファレンス溶液に該センサーを曝露するように構成され、そしてここで該システムは該レファレンス溶液への該センサーの曝露の間に該レファレンス溶液中の分析対象濃度を示すデータシグナルを発生させるように構成されている、レファレンス溶液；及び
キャリブレーション情報を測定し、該キャリブレーション情報より生物学的試料に関連したシグナルをキャリブレーションするように構成されているプログラミングを含むコンピューターシステムであって、ここで該キャリブレーション情報は該レファレンス溶液への該センサーの曝露に関連するシグナル及び生物学的試料への該センサーの曝露に関連するシグナルの少なくとも１つから測定され、そしてここで該生物学的試料は未知分析対象濃度又は非キャリブレーション分析対象濃度のものである、コンピューターシステム；
を含む、システム。
（項目８０）
上記コンピューターシステムが、キャリブレーション情報に応答した上記センサー及び該宿主の少なくとも１つの状態を診断するように構成されたプログラミングを更に含む、項目７９記載のシステム。
（項目８１）
キャリブレーション情報がベースライン情報を含み、ここで上記システムがレファレンス溶液に関連するベースラインと生物学的試料に関連するベースラインとの間のオフセットを測定するように構成されているプログラミングを含む、項目７９記載のシステム。
（項目８２）
分析対象濃度のステップ変化への上記センサーの曝露の間に、該センサーのシグナルのインパルス応答を処理することにより上記オフセットを測定する、項目８１記載のシステム。
（項目８３）
未知分析対象濃度又は非キャリブレーション分析対象濃度の生物学的試料の複数の時間間隔試料に関する定常状態情報及び一過性情報の比較により上記オフセットを測定する、項目８１記載のシステム。
（項目８４）
上記コンピューターシステムが、所定量より高値の上記オフセットの変化に応答した妨害物質種を検出するように構成されているプログラミングを更に含む、項目８１記載のシステム。
（項目８５）
上記コンピューターシステムが、所定量より高値の上記オフセットの変化に応答した上記宿主の代謝過程の状態を診断するように構成されているプログラミングを更に含む、項目８１記載のシステム。
（項目８６）
上記コンピューターシステムが、上記状態の診断に応答した上記宿主の状態に関連するメッセージをディスプレイ又は伝送するように構成されているプログラミングを更に含む、項目８５記載のシステム。
（項目８７）
上記コンピューターシステムが、所定量より高値の上記オフセットの変化に応答したエラー及びフェールセーフを診断するように構成されているプログラミングを更に含む、項目８１記載のシステム。
（項目８８）
上記コンピューターシステムが、所定量より高値の上記オフセットの変化に応答した上記センサーを再キャリブレーションするように構成されているプログラミングを更に含む、項目８１記載のシステム。
（項目８９）
キャリブレーション情報が感度情報を含み、ここで上記システムは所定量より高値の感度の変化に応答したエラーを診断するように構成されているプログラミングを含む、項目８１記載のシステム。
（項目９０）
上記コンピューターシステムが、分析対象濃度のステップ変化への上記センサーの曝露の間に発生したシグナルのインパルス応答を計算するように構成されているプログラミングを更に含み、ここでステップ変化に対する時間定数をピークインパルス応答の時間から測定する、項目８１記載のシステム。
（項目９１）
インパルス応答を計算する工程が１回より多く反復され、ここで上記コンピューターシステムは所定閾値より高値のステップ変化の複数に関連する時間定数の変化に応答したセンサー状態又はエラーを診断するように構成されたプログラミングを更に含む、項目９０記載のシステム。
（項目９２）
分析対象を計測するためのシステムであって、該システムが下記成分：
宿主の血管系と連絡する血管アクセス装置；及び、
該血管アクセス装置内に伸長するように構成されている分析対象センサーであって、ここで該分析対象センサーは該血管系内の分析対象の濃度を計測するように構成されているもの、
を含む、システム。
（項目９３）
上記分析対象センサーが上記血管アクセス装置から上記宿主の血流中へと伸長するように構成されている、項目９２記載のシステム。
（項目９４）
上記血管アクセス装置がカテーテルである、項目９２記載のシステム。
（項目９５）
上記血管アクセス装置が、上記宿主の静脈内への挿入のために構成されている、項目９２記載のシステム。
（項目９６）
上記血管アクセス装置が、上記宿主の動脈内への挿入のために構成されている、項目９２記載のシステム。
（項目９７）
上記血管アクセス装置が、上記宿主の血圧の計測のための圧力トランスデューサーに作動可能に連結されるように構成されている、項目９２記載のシステム。
（項目９８）
上記血管アクセス装置が、上記宿主の血液化学を計測するための血液化学分析装置に作動可能に連結されるように構成されている、項目９２記載のシステム。
（項目９９）
上記分析対象センサーがグルコースセンサーである、項目９２記載のシステム。
（項目１００）
上記カテーテル内への上記分析対象センサーの挿入の間に、該分析対象センサーを保護するように構成されたシースを更に含む、項目９２記載のシステム。
（項目１０１）
上記シースが、該シースからの該分析対象センサーの取り外しを可能にするように構成されたスロットを含む、項目１００記載のシステム。
（項目１０２）
第１の末端及び第２の末端を有する流体連結器を更に含み、ここで該流体連結器は該第１の末端で上記血管アクセス装置と契合するように構成され、そしてここで上記分析対象センサーの少なくとも一部分は該流体連結器を通して伸長するか、又は該流体連結器内に収容される、項目９２記載のシステム。
（項目１０３）
上記流体連結器が該流体連結器上に形成されたセンサー電子機器を含む、項目１０２記載のシステム。
（項目１０４）
上記センサー電子機器がポテンシオスタットを含む、項目１０３記載のシステム。
（項目１０５）
上記流体連結器が、上記第２の末端で医療装置と契合するように構成されている、項目１０２記載のシステム。
（項目１０６）
上記医療装置が血圧モニター、血液化学装置、および透析バイパス機よりなる群から選択される装置の少なくとも１つを含む、項目１０５記載のシステム。
（項目１０７）
上記分析対象センサーが、上記血管アクセス装置から上記宿主の血流内へと約０．０１０インチ〜約１インチまで伸長するように構成されている、項目９２記載のシステム。
（項目１０８）
上記血管アクセス装置および上記分析対象センサーが、インビボの上記宿主の血流内に内在するように構成されている、項目９２記載のシステム。
（項目１０９）
上記分析対象センサーに作動可能に接続したセンサー電子機器を更に含む、項目９２記載のシステム。
（項目１１０）
上記分析対象センサーが、第１のシグナルを計測するように構成された少なくとも１つのワーキング電極を含む、項目１０９記載のシステム。
（項目１１１）
上記第１のシグナルが実質的に分析対象関連である、項目１１０記載のシステム。
（項目１１２）
上記分析対象センサーが、第２のシグナルを計測するように構成された第２のワーキング電極を更に含む、項目１１０記載のシステム。
（項目１１３）
上記第２のシグナルが実質的に非分析対象関連である、項目１１２記載のシステム。
（項目１１４）
上記センサー電子機器が、分析対象の濃度を測定するために上記第２のシグナル及び上記第１のシグナルを処理するように構成されている、項目１１３記載のシステム。
（項目１１５）
レファレンス電極を更に含む、項目１１０記載のシステム。
（項目１１６）
上記レファレンス電極が上記ワーキング電極から遠隔の位置に位置する、項目１１５記載のシステム。
（項目１１７）
第１の末端及び第２の末端を有する流体連結器を更に含み、ここで該流体連結器は該第１の末端でカテーテルと契合するように構成されており、ここで該分析対象センサーの少なくとも一部分は該流体連結器を通して伸長するか、又は該流体連結器内に収容され、そしてここで上記レファレンス電極は該流体連結器に近接するか又は該流体連結器内に位置している、項目１１６記載のシステム。
（項目１１８）
上記宿主の血流内に伸長する分析対象センサーの末端が拡大した領域を含む、項目９２記載のシステム。
（項目１１９）
上記分析対象センサーの実質的な部分が、約０．００８インチ未満の直径を有する、項目９２記載のシステム。
（項目１２０）
上記分析対象センサーの実質的な部分が、約０．００４インチ未満の直径を有する、項目９２記載のシステム。
（項目１２１）
上記分析対象センサーが、生物不活性物質又は生物活性物質を、該分析対象センサー内に、又は該分析対象センサー上に更に含む、項目９２記載のシステム。
（項目１２２）
上記生物活性剤がビタミンＫ拮抗剤、ヘパリン群の抗凝固剤、血小板凝集阻害剤、酵素、直接トロンビン阻害剤、ダビガトラン、デフィブロチド、デルマタンスルフェート、フォンダパリヌクス及びリバロキサバンよりなる群から選択される少なくとも１つの物質を含む、項目１２１記載のシステム。
（項目１２３）
上記分析対象センサーがワーキング電極及びレファレンス電極を含み、ここで該ワーキング電極及び該レファレンス電極の少なくとも１つがワイアを含む、項目９２記載のシステム。
（項目１２４）
上記分析対象センサーがワーキング電極及びレファレンス電極を含み、ここで該ワーキング電極及び該レファレンス電極が両方ともワイアであり、そしてここで該ワイアが同軸である、項目９２記載のシステム。
（項目１２５）
上記分析対象センサーがワーキング電極及びレファレンス電極を含み、ここで該ワーキング電極及び該レファレンス電極が両方ともワイアであり、そしてここで該ワイアが並置されている、項目９２記載のシステム。
（項目１２６）
上記分析対象センサーがワーキング電極及びレファレンス電極を含み、ここで該ワーキング電極及び該レファレンス電極が両方ともワイアであり、そしてここで該レファレンス電極が該ワーキング電極の周囲にらせん状に巻きつけられている、項目９２記載のシステム。
（項目１２７）
上記分析対象センサーがワーキング電極を含み、ここで該ワーキング電極は可撓性である、項目９２記載のシステム。
（項目１２８）
上記分析対象センサーが該ワーキング電極を含み、ここで該ワーキング電極は可変剛性を有する、項目９２記載のシステム。
（項目１２９）
上記分析対象センサーがらせん形状を有する少なくとも１つのワイアを含み、ここで該らせんワイアの可変堅固性は、該らせんワイアの可変ピッチ及び該らせんワイアの可変断面の少なくとも１つにより与えられる、項目９２記載のシステム。
（項目１３０）
宿主の血流中の分析対象を計測するための方法であって、該方法が下記工程：
宿主の血流と連絡するように血管アクセス装置を挿入する工程；及び、
該血管アクセス装置内に分析対象センサーを挿入する工程であって、ここで該分析対象センサーは該宿主の血流内の分析対象の濃度を計測するものである工程；
を含む、方法。
（項目１３１）
上記分析対象センサーが、上記血管アクセス装置から血流内へ伸長する、項目１３０記載の方法。
（項目１３２）
上記血管アクセス装置がカテーテルである、項目１３０記載の方法。
（項目１３３）
上記血管アクセス装置が上記宿主の静脈内に挿入される、項目１３０記載の方法。
（項目１３４）
上記血管アクセス装置が上記宿主の動脈内に挿入される、項目１３０記載の方法。
（項目１３５）
上記分析対象センサーに圧力トランスデューサーを連結させる工程を更に含む、項目１３０記載の方法。
（項目１３６）
上記分析対象センサーに血液化学分析装置を連結させる工程を更に含む、項目１３０記載の方法。
（項目１３７）
上記分析対象センサーがグルコースを測定する、項目１３０記載の方法。
（項目１３８）
上記分析対象センサーが該分析対象センサーを収容するか、又は該分析対象センサーを支持するための流体連結器を含み、ここで該方法が、該流体連結器の第１の末端で血管アクセス装置に該流体連結器を契合させる工程を更に含む、項目１３０記載の方法。
（項目１３９）
上記流体連結器の第２の末端で医療装置に、該流体連結器を契合させる工程を更に含む、項目１３８記載の方法。
（項目１４０）
上記医療装置で他のパラメーター少なくとも１つを計測する工程を更に含み、ここで該パラメーターは血圧及び血液化学よりなる群から選択される、項目１３９記載の方法。
（項目１４１）
上記分析対象センサーを挿入する工程が、約０．０１０インチ〜約１インチまで上記血管アクセス装置のインビボの末端を超えて該分析対象センサーを挿入する工程を含む、項目１３０記載の方法。
（項目１４２）
上記血管アクセス装置及び上記分析対象センサーが、インビボの上記宿主の血流内に内在するように構成された、項目１３０記載の方法。
（項目１４３）
上記分析対象センサーに作動可能に接続したセンサー電子機器を更に含み、ここで上記方法が宿主内の分析対象の濃度を計測するためにセンサー電子機器を利用する工程を更に含む、項目１３０記載の方法。
（項目１４４）
上記分析対象センサーが少なくとも１つのワーキング電極を含み、ここで上記方法が該ワーキング電極において第１のシグナルを計測する工程を更に含み、そしてここで該第１のシグナルは実質的に分析対象関連である、項目１４３記載の方法。
（項目１４５）
上記分析対象センサーが第２のワーキング電極を更に含み、ここで上記方法が該第２のワーキング電極において第２のシグナルを計測する工程を更に含む、項目１４４記載の方法。
（項目１４６）
上記第２のシグナルが実質的に非分析対象関連である、項目１４５記載の方法。
（項目１４７）
分析対象の濃度を測定するために、上記第２のシグナル及び上記第１のシグナルを処理する工程を更に含む、項目１４６記載の方法。
（項目１４８）
上記分析対象センサーの挿入末端において拡大された領域を設けることにより、血管内へのセンサー挿入の間の該血管の穿刺を回避する工程を更に含む、項目１３０記載の方法。
（項目１４９）
上記血流内の分析対象センサーの近位又は該分析対象センサー上の凝固又は血栓を実質的に防止する工程を更に含む、項目１３０記載の方法。
（項目１５０）
宿主中の連続分析対象センサーをキャリブレーションするための方法であって、該方法が下記工程：
連続分析対象センサーを宿主内に挿入する工程；
該連続分析対象センサーの少なくとも一部分にキャリブレーション溶液を接触させる工程；及び、
キャリブレーションされた少なくとも１つのセンサーデータポイントを含むキャリブレーションされた分析対象センサーデータを提供するために、該連続分析対象センサーをキャリブレーションする工程；
を含む、方法。
（項目１５１）
上記連続分析対象センサーが、宿主の血流内に内在するように構成されている、項目１５０記載の方法。
（項目１５２）
上記連続分析対象センサーが、上記宿主におけるグルコース濃度を計測するように構成されている、項目１５０記載の方法。
（項目１５３）
上記キャリブレーション溶液がグルコースの所定量を含む、項目１５２記載の方法。
（項目１５４）
上記キャリブレーションされた分析対象センサーデータをディスプレイする工程を更に含む、項目１５０記載の方法。
（項目１５５）
上記連続分析対象センサーの少なくとも一部分にさらなるキャリブレーション溶液を接触させることを更に含む、項目１５０記載の方法。
（項目１５６）
キャリブレーションされた少なくとも１つのセンサーデータポイントを含むキャリブレーションされた分析対象センサーデータを提供するために、該連続分析対象センサーをキャリブレーション又は再キャリブレーションする工程を更に含む、項目１５５記載の方法。
（項目１５７）
さらなるキャリブレーション溶液を接触させる工程が反復される、項目１５５記載の方法。
（項目１５８）
さらなるキャリブレーション溶液を接触させる工程が自動的に実施される、項目１５５記載の方法。
（項目１５９）
さらなるキャリブレーション溶液を接触させる工程が手動で実施される、項目１５５記載の方法。
（項目１６０）
上記センサーをフラッシュするために、上記連続分析対象センサーの少なくとも一部分に非分析対象溶液を接触させる工程を更に含む、項目１５０記載の方法。
（項目１６１）
非分析対象溶液を接触させる工程が、上記連続分析対象センサーの少なくとも一部分にキャリブレーション溶液を接触させる工程よりも前に実施される、項目１６０記載の方法。
（項目１６２）
宿主中の連続分析対象センサーをキャリブレーションするための方法であって、該方法が下記工程：
宿主内に連続分析対象センサーシステムを挿入する工程；
該宿主から血液試料少なくとも１つを引き出す工程；
該血液試料からレファレンス分析対象値を計測する工程；及び
キャリブレーションされたセンサーデータポイント少なくとも１つを含むキャリブレーションされた分析対象センサーデータを提供するために、連続分析対象センサーをキャリブレーションする工程、
を含む、方法。
（項目１６３）
上記連続分析対象センサーが上記宿主の血流内に内在するように構成されている、項目１６２記載の方法。
（項目１６４）
上記連続分析対象センサーが上記宿主のグルコース濃度を計測するように構成されている、項目１６２記載の方法。
（項目１６５）
上記宿主から血液試料少なくとも１つを引き出す工程が自動的に実施される、項目１６２記載の方法。
（項目１６６）
連続分析対象センサーを挿入する工程が、上記宿主の血管系と連絡するように血管アクセス装置を挿入する工程を含み、ここで該センサーは該血管アクセス装置と一体的に組み込まれる、項目１６２記載の方法。
（項目１６７）
引き出しを行う工程が、上記血管アクセス装置を通して血液試料を引き出すことを含む、項目１６６記載の方法。
（項目１６８）
上記宿主の血管系と連絡するように血管アクセス装置を挿入する工程を更に含み、ここで上記センサーは該血管アクセス装置を通して挿入される、項目１６２記載の方法。
（項目１６９）
引き出しを行う工程が血管アクセス装置を通して血液試料を引き出すことを含む項目１６８記載の方法。
（項目１７０）
上記キャリブレーションされたセンサーデータをディスプレイする工程を更に含む、項目１６２記載の方法。
（項目１７１）
上記連続分析対象センサーシステムに血液化学装置を連結する工程を更に含む、項目１６２記載の方法。
（項目１７２）
上記血液化学装置が、上記宿主の少なくとも１つの血液試料を分析する工程を実施する、項目１７１記載の方法。
（項目１７３）
上記血液化学装置が、上記血液試料由来のレファレンス分析対象値を計測する工程を実施する、項目１７１記載の方法。
（項目１７４）
連続分析対象センサーシステムであって、該システムが下記成分：
宿主への挿入のために構成された連続分析対象センサー；及び、
該連続分析対象センサーに作動可能に接続されたコンピューターシステムであって、ここで該コンピューターシステムは該連続分析対象センサーから分析対象センサーデータを受信するように構成され、該分析対象センサーデータは少なくとも１つのセンサーデータポイント及びキャリブレーション情報を含み、そしてここで該コンピューターシステムは該キャリブレーション情報由来の該分析対象センサーデータをキャリブレーションするように構成されている、コンピューターシステム；
を含む、システム。
（項目１７５）
上記分析対象センサーがグルコースセンサーである、項目１７４記載のシステム。
（項目１７６）
上記連続分析対象センサーが上記宿主の血管系との連絡のために構成された血管アクセス装置を含み、ここで該連続分析対象センサーは該血管アクセス装置を通して伸長するように構成され、そしてここで該分析対象センサーは該宿主の血管系内の分析対象の濃度を計測するように構成されている、項目１７４記載のシステム。
（項目１７７）
上記血管アクセス装置が、上記宿主の血液化学を計測するための血液化学分析装置に作動可能に連結されるように構成されている、項目１７６記載のシステム。
（項目１７８）
上記血液化学装置が上記血管アクセス装置を通して血液試料を引き出すように構成されており、ここで上記キャリブレーション情報は該血液試料又はそれに関連する計測を含む、項目１７７記載のシステム。
（項目１７９）
上記血液化学装置が上記宿主由来のレファレンス分析対象値を計測するように構成されており、ここで上記キャリブレーション情報は該レファレンス分析対象値を含む、項目１７８記載のシステム。
（項目１８０）
上記キャリブレーション情報を自動的に得るように構成された装置を更に含み、ここで上記装置は上記センサーシステムに作動可能に連結されている、項目１７７記載のシステム。
（項目１８１）
上記連続分析対象センサーが上記宿主の血管系との連絡のための構成された血管アクセス装置を含み、ここで該血管アクセス装置は該血管アクセス装置の外部表面上に少なくとも部分的に一体的に組み込まれた分析対象センサーを含み、そして該分析対象センサーに作動可能に接続されたセンサー電子機器を更に含み、そしてここで該センサー電子機器は該宿主の血流内の分析対象の濃度を計測するように構成されている、項目１７４記載のシステム。
（項目１８２）
上記血管アクセス装置が、上記宿主の血液化学を計測するための血液化学分析装置に作動可能に連結されるように構成されている、項目１８１記載のシステム。
（項目１８３）
上記血液化学装置が上記血管アクセス装置を通して血液試料を引き出すように構成されており、ここで上記キャリブレーション情報は該血液試料又はそれに関連する計測を含む、項目１８２記載のシステム。
（項目１８４）
上記血液化学装置が上記宿主由来のレファレンス分析対象値を計測するように構成されており、ここで上記キャリブレーション情報が該レファレンス分析対象値を含む、項目１８２記載のシステム。
（項目１８５）
上記キャリブレーション情報を自動的に得るように構成された装置を更に含み、ここで該装置は上記センサーシステムに作動可能に連結されている、項目１８１記載のシステム。
（項目１８６）
上記分析対象センサーがワーキング電極及びレファレンス電極を含み、ここで該ワーキング電極及び該レファレンス電極の少なくとも１つはワイアを含む、項目１７４記載のシステム。
（項目１８７）
上記分析対象センサーがワーキング電極及びレファレンス電極を含み、ここで該ワーキング電極及び該レファレンス電極が両方ともワイアであり、そしてここで該ワイアが同軸である、項目１７４記載のシステム。
（項目１８８）
上記分析対象センサーがワーキング電極及びレファレンス電極を含み、ここで該ワーキング電極及び該レファレンス電極が両方ともワイアであり、そしてここで該ワイアが並置されている、項目１７４記載のシステム。
（項目１８９）
上記分析対象センサーがワーキング電極及びレファレンス電極を含み、ここで該ワーキング電極及び該レファレンス電極が両方ともワイアであり、そしてここで該レファレンス電極が該ワーキング電極の周囲にらせん状に巻きつけられている、項目１７４記載のシステム。
（項目１９０）
上記分析対象センサーがワーキング電極を含み、ここで該ワーキング電極は可撓性である、項目１７４記載のシステム。
（項目１９１）
上記分析対象センサーがワーキング電極を含み、ここで該ワーキング電極は可変剛性を有する、項目１７４記載のシステム。
（項目１９２）
上記分析対象センサーがらせん形状を有する少なくとも１つのワイアを含み、ここで該らせんワイアの可変剛性は、該らせんワイアの可変ピッチ及び該らせんワイアの可変断面の少なくとも１つにより与えられる、項目１７４記載のシステム。
（項目１９３）
宿主中の分析対象の濃度を計測するための方法であって、該方法が下記工程：
ａ）血管アクセス装置、分析対象濃度を計測するように構成された分析対象センサー、及び該センサーに作動可能に接続され、そして該分析対象濃度に関連するシグナルを発生するように構成された電子機器を含み、ここで該分析対象センサーが該血管アクセス装置内に所在するように構成されている分析対象計測システムを提供する工程；
ｂ）該血管アクセス装置及びセンサーを循環系と流体連絡させるように位置決めする工程；
ｃ）レファレンス溶液に該分析対象センサーを通過させる工程、および該レファレンス溶液の分析対象濃度に関連するシグナルを計測する工程；及び、
ｄ）該循環系から試料を引き戻す工程、および該試料の分析対象濃度に関連するシグナルを計測する工程；
を含む、方法。
（項目１９４）
レファレンス溶液を通過させる工程が、約０．００１ｍｌ／分〜約２ｍｌ／分の第１の流速で該レファレンス溶液を通過させることを含む、項目１９３記載の方法。
（項目１９５）
レファレンス溶液を通過させる工程が、約０．０２ｍｌ／分〜約０．３５ｍｌ／分の第１の流速で該レファレンス溶液を通過させることを含む、項目１９４記載の方法。
（項目１９６）
レファレンス溶液を通過させる工程が、該レファレンス溶液の温度を該宿主の温度と平衡させることを含む、項目１９４記載の方法。
（項目１９７）
試料を引き戻す工程が、約０．００１ｍｌ／分〜約２ｍｌ／分の第２の流速で該試料を引き戻すことを含む、項目１９３記載の方法。
（項目１９８）
試料を引き戻す工程が、約０．０２ｍｌ／分〜約０．３５ｍｌ／分の第２の流速で該試料を引き戻すことを含む、項目１９７記載の方法。
（項目１９９）
試料を引き戻す工程が、上記レファレンス溶液及び該試料の実質的なブロッキング混合を含む、項目１９７記載の方法。
（項目２００）
上記第２の流速が上記第１の流速と実質的に等しい、項目１９７記載の方法。
（項目２０１）
上記血管アクセス装置が静脈と流体連絡しており、上記方法が上記レファレンス溶液に第３の流速で上記センサーを通過させることにより、該静脈を開放状態に維持する工程を更に含む、項目１９３記載の方法。
（項目２０２）
上記第３の流速が上記第１の流速より低値である、項目２０１記載の方法。
（項目２０３）
上記第３の流速が約１．０μｌ／分〜約１．０ｍｌ／分である、項目２０２記載の方法。
（項目２０４）
上記第３の流速が約０．０２ｍｌ／分〜約０．２ｍｌ／分である、項目２０３記載の方法。
（項目２０５）
上記分析対象計測システムが流量制御装置を更に含み、ここで該流量制御装置は工程ｃ）及びｄ）の間に流量を計量するように構成されている、項目１９３記載の方法。
（項目２０６）
上記流量制御装置が第１の分別位置及び第２の分別位置を含む弁を含む、項目２０５記載の方法。
（項目２０７）
レファレンス溶液を通過させる工程が、上記第１の位置から上記第２の位置に弁を移動させる工程を更に含む、項目２０６記載の方法。
（項目２０８）
レファレンス溶液を通過させる工程が、上記第１の位置から上記第２の位置への弁の移動の間に約５００マイクロリットル以下の溶液容量を通過させる工程を含む、項目２０７記載の方法。
（項目２０９）
試料を引き戻す工程が、上記第２の位置から上記第１の位置に弁を移動させる工程を含む、項目２０６記載の方法。
（項目２１０）
試料を引き戻す工程が、上記第２の位置から上記第１の位置への弁の移動の間に約５００マイクロリットル以下の試料容量を引き戻す工程を含む、項目２０９記載の方法。
（項目２１１）
試料を引き戻す工程が、上記第２の位置から上記第１の位置への弁の移動の間に約５０マイクロリットル以下の試料容量を引き戻す工程を含む、項目２０６記載の方法。
（項目２１２）
上記血管アクセス装置が静脈と流体連絡しており、上記方法が所定の速度で該血管アクセス装置を通過する上記レファレンス溶液の流量を計量することにより、該静脈を開放状態に維持する工程を更に含む、項目２０６記載の方法。
（項目２１３）
上記流量を計測する工程が、上記第１の位置と上記第２の位置との間を移動する弁のタイミングにより少なくとも部分的に制御される、項目２１２記載の方法。
（項目２１４）
上記循環系から上記試料を引き戻す工程が、上記血管アクセス装置よりも実質的に遠方とならないように該試料を引き戻す工程を含む、項目１９３記載の方法。
（項目２１５）
上記循環系から上記試料を引き戻す工程が、上記宿主の皮膚により定義される平面よりも実質的に遠方とならないように上記血管アクセス装置内に該試料を引き戻す工程を含む、項目２１４記載の方法。
（項目２１６）
上記分析対象がグルコースであり、ここで該分析対象の濃度を計測する工程がグルコース濃度を計測する工程を含む、項目１９３記載の方法。
（項目２１７）
上記流量制御装置が弁を含む、項目１９３記載の方法。
（項目２１８）
上記流量制御装置がポンプを含む、項目１９３記載の方法。
（項目２１９）
工程ｃ）〜ｄ）を反復することを更に含む、項目１９３記載の方法。
（項目２２０）
宿主の循環系中の分析対象の濃度を計測するための方法であって、該方法が下記工程：
ａ）血管アクセス装置、分析対象センサー、流量制御装置、流体バッグ、ＩＶ配管、及びプロセッサを含む分析対象計測システムを提供する工程であって、ここで該プロセッサは該流量制御装置及び該分析対象センサーに作動可能に接続している、工程；
ｂ）該血管アクセス装置及び該分析対象センサーを該宿主の循環系と流体連絡するように挿入する工程；
ｃ）第１のレファレンス溶液を該ＩＶ配管に注入する工程；
ｄ）該ＩＶ配管に該流体バッグを連結する工程であって、ここで該流体バッグは第２のレファレンス溶液を含む工程；及び、
ｅ）該分析対象計測システムを開始する工程；
を含み、ここで該プロセッサは該システムとのさらなるユーザー相互作用を伴うことなく該分析対象センサーを自動キャリブレーションするように構成されている、方法。
（項目２２１）
上記第１のレファレンス溶液が第１の既知分析対象濃度を有し、ここで上記第２のレファレンス溶液が第２の既知レファレンス溶液を含む、項目２２０記載の方法。
（項目２２２）
上記システムが、上記第１のレファレンス溶液及び上記第２のレファレンス溶液を用いて、上記分析対象センサーを自動キャリブレーションするように構成されている、項目２２０記載の方法。
（項目２２３）
上記システムが、上記ＩＶ配管内への別のレファレンス溶液の注入前の少なくとも約２４時間にわたってキャリブレーションされたセンサーデータを与える、項目２２０記載の方法。
（項目２２４）
分析対象を計測するためのシステムであって、該システムが下記成分：
宿主の血管系との挿入連絡のために構成された血管アクセス装置であって、ここで該血管アクセス装置は少なくとも部分的に該血管アクセス装置に組み込まれた分析対象センサーを含む、血管アクセス装置；及び、
該分析対象センサーに作動可能に接続したセンサー電子機器であって、ここで該センサー電子機器は血管系内の分析対象の濃度を計測するように構成されている、センサー電子機器；
を含む、システム。
（項目２２５）
上記センサー電子機器が上記分析対象濃度を実質的に連続的に計測するように構成されている、項目２２４記載のシステム。
（項目２２６）
上記分析対象がグルコースである、項目２２４記載のシステム。
（項目２２７）
上記血管アクセス装置が、上記宿主の血液化学を計測するための血液化学分析装置に作動可能に連結されるように構成されている、項目２２４記載のシステム。
（項目２２８）
上記分析対象センサーが、第１のシグナルを計測するように構成された少なくとも１つのワーキング電極を含む、項目２２４記載のシステム。
（項目２２９）
上記第１のシグナルが実質的に分析対象関連である、項目２２８記載のシステム。
（項目２３０）
上記分析対象センサーが第２のシグナルを計測するように構成された第２のワーキング電極を更に含む、項目２２８記載のシステム。
（項目２３１）
上記第２のシグナルが実質的に非分析対象関連である、項目２３０記載のシステム。
（項目２３２）
上記センサー電子機器が、分析対象の濃度を測定するために上記第２のシグナル及び上記第１のシグナルを処理するように構成されている、項目２３０記載のシステム。
（項目２３３）
上記分析対象センサーがレファレンス電極を更に含む、項目２２８記載のシステム。
（項目２３４）
上記レファレンス電極が該レファレンス電極から遠隔な位置に位置する、項目２３３記載のシステム。
（項目２３５）
上記レファレンス電極が上記宿主の血流の外部に位置するように構成されている、項目２３４記載のシステム。
（項目２３６）
上記分析対象センサーが逆電極を更に含む、項目２３３記載のシステム。
（項目２３７）
上記分析対象センサーが、該分析対象センサー内に上記血管アクセス装置が挿入された場合に、上記宿主のインビボの血流に少なくとも部分的に接触するように構成されている、項目２２４記載のシステム。
（項目２３８）
上記分析対象センサーが、上記血管アクセス装置の外部表面上に付着している、項目２２４記載のシステム。
（項目２３９）
上記分析対象センサーが、上記血管アクセス装置の外部表面上に電気メッキされている、項目２３８記載のシステム。
（項目２４０）
上記分析対象センサーが、上記センサー電子機器の少なくとも一部分に有線接続されている、項目２２４記載のシステム。
（項目２４１）
上記分析対象センサーが、上記センサー電子機器の少なくとも一部分に無線接続されている、項目２２４記載のシステム。
（項目２４２）
上記血管アクセス装置がカテーテルである、項目２２４記載のシステム。
（項目２４３）
上記分析対象センサーが生物不活性物質又は生物活性物質を該分析対象センサー内に組み込んで更に含む、項目２２４記載のシステム。
（項目２４４）
上記生物活性剤がビタミンＫ拮抗剤、ヘパリン群の抗凝固剤、血小板凝集阻害剤、酵素、直接トロンビン阻害剤、ダビガトラン、デフィブロチド、デルマタンスルフェート、フォンダパリヌクス及びリバロキサバンよりなる群から選択される少なくとも１つの物質を含む、項目２４３記載のシステム。
（項目２４５）
上記分析対象センサーがワーキング電極及びレファレンス電極を含み、ここで該ワーキング電極及び該レファレンス電極の少なくとも１つがワイアを含む、項目２２４記載のシステム。
（項目２４６）
宿主の血流中の分析対象を計測するための方法であって、該方法が下記工程：
宿主の血流に連絡するように血管アクセス装置を挿入する工程であって、ここで該血管アクセス装置は少なくとも部分的に該血管アクセス装置に一体的に組み込まれた分析対象センサーを含む、工程；
該分析対象センサーをセンサー電子機器に作動可能に接続する工程；及び、
該宿主中の分析対象濃度を計測する工程；
を含む、方法。
（項目２４７）
分析対象濃度を実質的に連続的に計測することを更に含む、項目２４６記載の方法。
（項目２４８）
分析対象濃度を計測する工程が、グルコース濃度を計測する工程を含む、項目２４６記載の方法。
（項目２４９）
上記分析対象センサーが少なくとも１つのワーキング電極を含み、ここで上記計測工程が上記ワーキング電極において第１のシグナルを計測する工程を更に含み、そしてここで該第１のシグナルは実質的に分析対象関連である、項目２４６記載の方法。
（項目２５０）
上記分析対象センサーが第２のワーキング電極を更に含み、ここで上記計測工程が上記第２のワーキング電極において第２のシグナルを計測する工程を更に含み、そしてここで該第２のシグナルは実質的に非分析対象関連である、項目２４９記載の方法。
（項目２５１）
分析対象の濃度を測定するために上記第２のシグナル及び上記第１のシグナルを処理する工程を更に含む、項目２５０記載の方法。
（項目２５２）
上記計測工程が上記宿主のインビボ血流中の分析対象濃度を計測する工程を含む、項目２４６記載の方法。
（項目２５３）
上記作動可能に接続する工程が、有線接続を介して上記センサー電子機器の少なくとも一部分に該分析対象センサーを接続する工程を含む、項目２４６記載の方法。
（項目２５４）
上記作動可能に接続する工程が、無線接続を介して上記センサー電子機器の少なくとも一部分に上記分析対象センサーを接続する工程を含む、項目２４６記載の方法。
（項目２５５）
宿主の血管系における分析対象を計測するために構成された分析対象センサーを製造するための方法であって、該方法が下記工程：
血管アクセス装置を提供する工程；及び、
該血管アクセス装置中、又は該血管アクセス装置の表面上に分析対象センサーを少なくとも部分的に一体的に組み込む工程；
を含む、方法。
（項目２５６）
分析対象センサーを少なくとも部分的に一体的に組み込む工程が、上記血管アクセス装置の内部表面上、又は該血管アクセス装置の外部表面上に少なくとも１つのワーキング電極を付着させることを含む、項目２５５記載の方法。
（項目２５７）
上記付着工程が、上記血管アクセス装置の外部表面上に上記ワーキング電極を電気メッキすることを更に含む、項目２５５記載の方法。
（項目２５８）
分析対象センサーを少なくとも部分的に一体的に組み込む工程が、上記血管アクセス装置の内部表面上、又は該血管アクセス装置の外部表面上に第２のワーキング電極を付着させることを更に含む、項目２５５記載の方法。
（項目２５９）
分析対象センサーを少なくとも部分的に一体的に組み込む工程が、上記血管アクセス装置の内部表面上、又は該血管アクセス装置の外部表面上にレファレンス電極を付着させることを更に含む、項目２５５記載の方法。
（項目２６０）
分析対象センサーを少なくとも部分的に一体的に組み込む工程が、上記血管アクセス装置の内部表面上、又は該血管アクセス装置の外部表面上に逆電極を付着させることを更に含む、項目２５５記載の方法。
（項目２６１）
上記血管アクセス装置の表面が外部表面、内部表面、及び先端表面よりなる群から選択される、項目２５５記載の方法。
（項目２６２）
分析対象センサーを少なくとも部分的に一体的に組み込む工程が、上記ワーキング電極から遠隔な位置にレファレンス電極を形成することを更に含む、項目２５５記載の方法。
第１の特徴において、分析対象を計測するためのシステムが提供され、ここでシステムは以下の成分、即ち：宿主の循環系と連絡しているように構成されている血管アクセス装置；及び、血管アクセス装置内に所在するように構成されている分析対象センサー、ここで分析対象センサーは循環系内の分析対象の濃度を計測するように構成されているもの、を含む。